(57)【要約】      （修正有）【課題】床躯体に強固に設置し、目地部を覆うことができるとともに、目地部が広くなった場合に生じる隙間を簡単な構造の目地プレートと目地プレート移動手段で覆う、安価に設置することができる床用目地装置を得るにある。【解決手段】  一方の床躯体２の反目地部側に傾斜面が形成された凹部４を有する目地部側へ突出する一方のスラブ６と、この一方のスラブ６の先端部近傍の上部に上面が一方のスラブ６の上面とほぼ同一面の先端部が位置し目地部が狭くなると凹部内へ侵入する他方の床躯体７に形成された目地部側へ突出する他方のスラブ８と、凹部４内に収納された上面が一方のスラブ６と他方のスラブ８の上面とほぼ同一面に位置するほぼ逆台形状の目地プレート９と、この目地プレート９を目地部が狭くなると上方へ押し上げ目地部が広くなると他方のスラブと一体になってスライド移動させる目地プレート移動手段１０とで床用目地装置１を構成している。【選択図】  図２
2007051469.tif 000002
【特許請求の範囲】
【請求項１】
一方の床躯体の反目地部側に傾斜面が形成された凹部を有する目地部側へ突出する一方のスラブと、この一方のスラブの先端部近傍の上部に上面が該一方のスラブの上面とほぼ同一面の先端部が位置し、目地部が狭くなると前記凹部内へ侵入する他方の床躯体に形成された、前記目地部側へ突出する他方のスラブと、前記凹部内に収納された上面が、前記一方のスラブと他方のスラブの上面とほぼ同一面に位置するほぼ逆台形状の目地プレートと、この目地プレートを目地部が狭くなると上方へ押し上げ、目地部が広くなると他方のスラブと一体になってスライド移動させる目地プレート移動手段とを備えることを特徴とする床用目地装置。
【請求項２】
一方の床躯体の反目地部側に傾斜面が形成された凹部を有する目地部側へ突出する一方のスラブと、この一方のスラブの先端部近傍の上部に上面が該一方のスラブの上面とほぼ同一面の先端部が位置し、目地部が狭くなると前記凹部内へ侵入する他方の床躯体に形成された、前記目地部側へ突出する他方のスラブと、前記凹部内に収納された上面が、前記一方のスラブと他方のスラブの上面とほぼ同一面に位置するほぼ逆台形状の目地プレートと、この目地プレートを目地部が狭くなると上方へ押し上げ、目地部が広くなると他方のスラブと一体になってスライド移動させる、該他方のスラブの先端部に上面が目地プレートを押し上げるガイド面となる傾斜面のガイドプレート、このガイドプレートあるいは他方のスラブの先端部に後端部が遊びを介して枢支され、先端部が目地プレートの下部寄りの部位に遊びを介して枢支されたアームとからなる目地プレート移動手段とを備えることを特徴とする床用目地装置。
【請求項３】
一方の床躯体の反目地部側に傾斜面が形成された凹部を有する目地部側へ突出する一方のスラブと、この一方のスラブの先端部近傍の上部に上面が該一方のスラブの上面とほぼ同一面の先端部が位置し、目地部が狭くなると前記凹部内へ侵入する他方の床躯体に形成された、前記目地部側へ突出する他方のスラブと、前記凹部内に収納された上面が、前記一方のスラブと他方のスラブの上面とほぼ同一面に位置するほぼ逆台形状の目地プレートと、この目地プレートを目地部が狭くなると上方へ押し上げ、目地部が広くなると他方のスラブと一体になってスライド移動させる、該他方のスラブの先端部より出没可能なスライド支持体、このスライド支持体に左右方向および上下方向にスライド移動可能に取付けられた、前記目地プレートのほぼ中央底面に取付けられる目地プレート支持具とからなる目地プレート移動手段とを備えることを特徴とする床用目地装置。
【発明の詳細な説明】
【技術分野】
【０００１】
本発明は左右の床躯体間の目地部を覆う床用目地装置に関する。
【背景技術】
【０００２】
従来、この種の床用目地装置は一方の床躯体より目地部へ突出させたスラブを設け、このスラブと目地部側の他方の床躯体との間に目地装置を設けていた。
【０００３】
このため、目地プレートや目地プレートを支持する構造を強固なものにしなければならないとともに、構造が複雑で、コスト高になるという欠点があった。
【特許文献１】特開２００５−１２６９５１
【発明の開示】
【発明が解決しようとする課題】
【０００４】
本発明は以上のような従来の欠点に鑑み、通常時には一方の床躯体と他方の床躯体に強固に設置することができる、一方のスラブと他方のスラブで目地部を覆うことができるとともに、通常時の凹部や目地部が広くなった場合に生じる隙間を簡単な構造の目地プレートと目地プレート移動手段で覆うことができる、構造が簡単で、安価に設置することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の床躯体の反目地部側に傾斜面が形成された凹部を有する目地部側へ突出する一方のスラブと、この一方のスラブの先端部近傍の上部に上面が該一方のスラブの上面とほぼ同一面の先端部が位置し、目地部が狭くなると前記凹部内へ侵入する他方の床躯体に形成された、前記目地部側へ突出する他方のスラブと、前記凹部内に収納された上面が、前記一方のスラブと他方のスラブの上面とほぼ同一面に位置するほぼ逆台形状の目地プレートと、この目地プレートを目地部が狭くなると上方へ押し上げ、目地部が広くなると他方のスラブと一体になってスライド移動させる目地プレート移動手段とで床用目地装置を構成している。
【発明の効果】
【０００７】
以上の説明から明らかなように、本発明にあっては次に列挙する効果が得られる。
【０００８】
（１）一方の床躯体の反目地部側に傾斜面が形成された凹部を有する目地部側へ突出する一方のスラブと、この一方のスラブの先端部近傍の上部に上面が該一方のスラブの上面とほぼ同一面の先端部が位置し、目地部が狭くなると前記凹部内へ侵入する他方の床躯体に形成された、前記目地部側へ突出する他方のスラブと、前記凹部内に収納された上面が、前記一方のスラブと他方のスラブの上面とほぼ同一面に位置するほぼ逆台形状の目地プレートと、この目地プレートを目地部が狭くなると上方へ押し上げ、目地部が広くなると他方のスラブと一体になってスライド移動させる目地プレート移動手段とで構成されているので、通常時には一方のスラブと他方のスラブおよび一方のスラブに形成された凹部を覆う目地プレートで床目地部を覆うことができる。
したがって、一方の床躯体と他方の床躯体に強固に一方のスラブと他方のスラブが設けられるため、強固に設置することができる。
【０００９】
（２）前記（１）によって、目地プレートと目地プレート移動手段でよいので、構造が簡単で、容易に設置することができる。
【００１０】
（３）前記（１）によって、ほぼ逆台形状の目地プレートを用いているので、凹部の反目地部側の傾斜面によって、容易に目地部が狭くなった場合に上方へスライド移動させることができる。
また、目地部が広くなった場合には、他方のスラブによって、目地プレートを凹部内をスライド移動させるだけであるので、容易にその揺れ動きを吸収することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の床用目地装置で、この床用目地装置１は一方の床躯体２の反目地部側に傾斜面３が形成された凹部４を有する目地部５側に突出する一方のスラブ６と、この一方のスラブ６の先端部近傍の上部に上面が該一方のスラブ６の上面とほぼ同一面の先端部が位置し、目地部５が地震等で狭くなると前記凹部４内へ侵入する他方の床躯体７に形成した、前記目地部側へ突出する他方のスラブ８と、前記凹部４内に収納された上面が前記一方のスラブ６と他方のスラブ８の上面とほぼ同一面に位置するほぼ逆台形状の目地プレート９と、この目地プレート９を目地部５が狭くなると上方へ押し上げ、目地部５が広くなると他方のスラブ８と一体になってスライド移動させる目地プレート移動手段１０とで構成されている。
【００１４】
前記目地プレート９は図３に示すように、両側面が垂直面で、両端部が傾斜面１１、１１に形成された浅皿状で、ほぼ逆台形状に形成された金属材製の目地プレート本体１２と、この目地プレート本体１２の前記他方のスラブ８側の底面に形成されたアーム取付凹部１３、１３と、前記目地プレート本体１２内に充填されたモルタルやコンクリート１４およびタイル等の床化粧板１５とで構成されている。
【００１５】
前記目地プレート移動手段１０は図４に示すように、前記目地プレート９のアーム取付凹部１３、１３と対応する部位の、他方のスラブ８の先端部に固定された、上面が前記目地プレート９を押し上げることができるように傾斜面１６に形成されたガイドプレート１７、１７と、このガイドプレート１７、１７あるいはこの近傍の他方のスラブに遊びを介して枢支ピン１８、１８で一端部が枢支され、他端部が前記アーム取付凹部１３、１３を形成する壁面に遊びを介して枢支ピン１９、１９で枢支された両端部に長孔状のピン挿入孔２０ａ、２０bが形成されたアーム２０、２０とで構成されている。
【００１６】
上記のように構成された床用目地装置１は、通常時には図１および図２に示すように、目地部５は一方のスラブ６と他方のスラブ８で覆われるとともに、一方のスラブ６に形成された凹部４を目地プレート９で覆って、一方の床躯体２、目地プレート９および他方の床躯体７の上面がほぼ同一面で、隙間が生じないような状態で覆われている。
【００１７】
地震等によって目地部５が狭くなるように一方の床躯体２と他方の床躯体７が揺れ動くと、図５に示すように凹部４が狭くなるように一方の床躯体２と他方の床躯体７が動くため、目地プレート９の両端部は凹部４の傾斜面３とガイドプレート１７の傾斜面１６によって上方へ押し上げられ、その揺れ動きを吸収する。
この時、アーム２０、２０の両端部の長孔状のピン挿入孔２０ａ、２０bにより、遊びが生じ、スムーズに目地プレート９を移動させることができる。
【００１８】
目地部５が広くなるように揺れ動いた場合には、図６に示すように他方のスラブ８が一方のスラブ６より離れるように移動するため、アーム２０、２０で目地プレート９を引きずるように移動させて目地部５に隙間が生じるのを阻止する。
なお、揺れ動きが停止した場合には、目地プレート９の自重や他方のスラブ８の押し圧力等によって、元の状態へ自動的に戻る。
[発明を実施するための異なる形態]
【００１９】
次に、図７ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図７ないし図９に示す本発明を実施するための第２の形態において、前記本発明を実施するための最良の第１の形態と主に異なる点は、スライド移動をよりスムーズにできるように目地プレート本体１２の底面に多数個のローラ２１を配置した目地プレート９Ａと、一方のスラブ６の先端上部にゴム材で形成された水止め用の止水片２２を取付けた点で、このような目地プレート９Ａ等を用いて構成した床用目地装置１Ａにしても、前記本発明を実施するための最良の第１の形態と同様な作用効果が得られる。
【００２１】
図１０ないし図１２に示す本発明を実施するための第３の形態において、前記本発明を実施するための最良の第１の形態と主に異なる点は、一方のスラブ６に形成した凹部４に、上面に所定間隔で前後方向に並列させた棒状のローラ２３を配置した下地カバー２４を設置した点で、このような下地カバー２４を用いて構成した床用目地装置１Ｂにしても、前記本発明を実施するための最良の第１の形態と同様な作用効果が得られるとともに、目地プレートをよりスムーズにスライド移動させることができる。
【００２２】
図１３ないし図１７に示す本発明を実施するための第４の形態において、前記本発明を実施するための最良の第１の形態と主に異なる点は、他方のスラブ８の先端部に開口し、左右方向に軸心が位置するように埋設された複数個の筒部材２５、２５、２５と、この複数個の筒部材２５、２５、２５にスライド移動可能に取付けられたスライドバー２６、２６、２６、このスライドバー２６、２６、２６の先端部に固定された連結バー２７とからなるスライド支持体２８と、このスライド支持体２８を常時突出方向に付勢する、前記複数個の筒部材２５、２５、２５に収納された付勢スプリング２９、２９、２９と、前記スライド支持体２８の連結バー２７に一端部が枢支され、他端部が他方のスラブ８の先端部に枢支されたほぼ中央部に中央枢支部３０を有するパンタグラフ形状の伸縮リンク３１、３１と、この伸縮リンク３１、３１の中央枢支部３０、３０に上下移動可能に枢支された、前記目地プレート９のほぼ中央部に取付けられる目地プレート支持具３２、３２とからなる目地プレート移動手段１０Ａを用いた点で、このような目地プレート移動手段１０Ａを用いて構成した床用目地装置１Ｃにしても、前記本発明を実施するための最良の第１の形態と同様な作用効果が得られる。
【００２３】
図１８ないし図２０に示す本発明を実施するための第５の形態において、前記本発明を実施するための最良の第１の形態と主に異なる点は、他方のスラブ８の先端部に目地プレート９を押し上げることができる傾斜面３３を形成するとともに、他方のスラブ８の先端部に目地プレート９に底面に開口するように形成された複数個のピン挿入孔３４、３４、３４に遊挿される伸縮可能なピン３５、３５、３５を固定したスライドバー３６、３６、３６を、前記他方のスラブ８の先端部に形成されたスライドバー挿入孔３７、３７、３７に遊挿した目地プレート移動手段１０Ｂを用いた点で、このような目地プレート移動手段１０Ｂを用いて構成した床用目地装置１Ｄにしても、前記本発明を実施するための最良の第１の形態と同様な作用効果が得られる。
【００２４】
図２１ないし図２４に示す本発明を実施するための第６の形態において、前記本発明を実施するための最良の第１の形態と主に異なる点は、目地プレート９Ｂ
の底部に形成された凹部１２ａ、１２ａに、一方の床躯体２の傾斜面の下端に形成された凹部３ａで係止されるローラ３８、３８が先端部に取付けられ、後端部を前記目地プレートの底部に形成された凹部１２ａ、１２ａの他方のスラブ寄りの部位に枢支ピン３９、３９で枢支されたスライドレール４０、４０と、目地プレート９Ｂの他方のスラブ寄りの部位に目地プレート９Ｂの厚さ方向に形成された凹部４１、４１、４１、この凹部４１、４１、４１の上部で枢支された伸縮自在のガイドバー４２、４２、４２と、このガイドバー４２、４２、４２を保持し遊挿させるために他方のスラブ８の先端部に取付けられたガイド筒４３、４３、４３および目地プレート９Ｂの前後両端に取付けた傾斜版４４、４４とからなる目地プレート移動手段１０Ｃを用いた点で、このような目地プレート移動手段１０Ｃを用いて構成された床用目地装置１Ｅにしても、目地部が狭くなる時には、始めは枢支ピン３９、３９を中心に目地プレート９Ｂの先端部が上方を向くように回動し、さらに目地が狭くなると、ガイド筒４３、４３、４３から外れないようにガイドバー４２、４２、４２が下方に伸びながら目地プレート９Ｂの後部も上方にせり上がって対応するので、前記本発明を実施するための最良の第１の形態と同様な作用効果が得られる。
なお、本発明を実施する形態ではガイドバー４２、４２、４２を三箇所に設けたものについて図示したが、これに限らず、中央のガイドバー４２をなくして二箇所にしても良い。また、傾斜板４４、４４を設けなくても良い。
【００２５】
図２５ないし図２７に示す本発明を実施するための第７の形態において、前記本発明を実施するための第６の形態と主に異なる点は、目地プレート本体１２Ａの前方下部に形成した凸部１２ｂで目地プレート９Ｃの荷重を支えるようにし、他方のスラブ8の先端部に目地プレート本体１２Ａの後端部の荷重を受けるためのアングル状の受け材４５を取付けた点で、このような目地プレート９Ｃを用いて構成された床用目地装置１Ｆにしても、一方のスラブ６の凹部４と目地プレート９Ｃとの接触面積が少なく、目地部５が広くなったり狭くなったりする時の抵抗が少なくなるので、前記本発明を実施するための最良の第６の形態と同様な作用効果が得られる。
【産業上の利用可能性】
【００２６】
本発明は床用目地装置を製造する産業で利用される。
【図面の簡単な説明】
【００２７】
【図１】本発明を実施するための最良の第１の形態の平面図。
【図２】図１の２−２線に沿う拡大断面図。
【図３】本発明を実施するための最良の第１の形態の目地プレートの説明図。
【図４】本発明を実施するための最良の第１の形態の目地プレート移動手段の説明図。
【図５】本発明を実施するための最良の第１の形態の目地部が狭くなった動作説明図。
【図６】本発明を実施するための最良の第１の形態の目地部が広くなった動作説明図。
【図７】本発明を実施するための第２の形態の平面図。
【図８】図７の８−８線に沿う拡大断面図。
【図９】本発明を実施するための第２の形態の目地プレートの説明図。
【図１０】本発明を実施するための第３の形態の平面図。
【図１１】図１０の１１−１１線に沿う拡大断面図。
【図１２】本発明を実施するための第３の形態の下地カバーの説明図。
【図１３】本発明を実施するための第４の形態の平面図。
【図１４】図１３の１４−１４線に沿う拡大断面図。
【図１５】本発明を実施するための第４の形態の目地プレート移動手段の説明図。
【図１６】本発明を実施するための第４の形態の目地部が狭くなった動作説明図。
【図１７】本発明を実施するための第４の形態の目地部が広くなった動作説明図。
【図１８】本発明を実施するための第５の形態の平面図。
【図１９】図１８の１９−１９線に沿う拡大断面図。
【図２０】本発明を実施するための第５の形態の目地部が狭くなった動作説明図。
【図２１】本発明を実施するための第６の形態の平面図。
【図２２】図２１の２２−２２線に沿う拡大断面図。
【図２３】本発明を実施するための第６の形態の目地プレート移動手段の説明図。
【図２４】本発明を実施するための第６の形態の目地部が狭くなった動作説明図。
【図２５】本発明を実施するための第７の形態の平面図。
【図２６】図２５の２６−２６線に沿う拡大断面図。
【図２７】本発明を実施するための第７の形態の目地部が狭くなる動作過程の説明図。
【符号の説明】
【００２８】
１、１Ａ、１Ｂ、１Ｃ、１Ｄ、１Ｅ、１Ｆ：床用目地装置、
２：一方の床躯体、            ３：傾斜面、
４：凹部、                    ５：目地部、
６：一方のスラブ、            ７：他方の床躯体、
８：他方のスラブ、            ９、９Ａ、９Ｂ、９Ｃ：目地プレート、
１０、１０Ａ、１０Ｂ、１０Ｃ：目地プレート移動手段、
１１：傾斜面、                １２、１２Ａ：目地プレート本体、
１３：アーム取付凹部、        １４：モルタルやコンクリート、
１５：床化粧板、              １６：傾斜面、
１７：ガイドプレート、        １８：枢支ピン、
１９：枢支ピン、              ２０：アーム、
２１：ローラ、                ２２：止水片、
２３：ローラ、                ２４：下地カバー、
２５：筒部材、                ２６：スライドバー、
２７：連結バー、              ２８：スライド支持体、
２９：付勢スプリング、        ３０：中央枢支部、
３１：伸縮リンク、            ３２：目地プレート支持具、
３３：傾斜面、                ３４：ピン挿入孔、
３５：ピン、                  ３６：スライドバー、
３７：スライドバー挿入孔、    ３８：ローラ、
３９：枢支ピン、              ４０：スライドレール、
４１：凹部、                  ４２：ガイドバー、
４３：ガイド筒、              ４４：傾斜板、
４５：受け材。
【図１】
2007051469.tif 000003
【図２】
2007051469.tif 000004
【図３】
2007051469.tif 000005
【図４】
2007051469.tif 000006
【図５】
2007051469.tif 000007
【図６】
2007051469.tif 000008
【図７】
2007051469.tif 000009
【図８】
2007051469.tif 000010
【図９】
2007051469.tif 000011
【図１０】
2007051469.tif 000012
【図１１】
2007051469.tif 000013
【図１２】
2007051469.tif 000014
【図１３】
2007051469.tif 000015
【図１４】
2007051469.tif 000016
【図１５】
2007051469.tif 000017
【図１６】
2007051469.tif 000018
【図１７】
2007051469.tif 000019
【図１８】
2007051469.tif 000020
【図１９】
2007051469.tif 000021
【図２０】
2007051469.tif 000022
【図２１】
2007051469.tif 000023
【図２２】
2007051469.tif 000024
【図２３】
2007051469.tif 000025
【図２４】
2007051469.tif 000026
【図２５】
2007051469.tif 000027
【図２６】
2007051469.tif 000028
【図２７】
2007051469.tif 000029